(57)【要約】      （修正有）【課題】要介護者や高齢者等でも容易に移動可能であり、緊急時には予め決められた連携先へ通報可能な貯蔵庫を提供する。【解決手段】内部の上、中、下段に各々横わたしの棚２、底面の角４ヶ所にストッパー付キャスター３、正面中央で左右に開閉する磁石を有する観音式扉、外側面にブザーを取付ける。【選択図】図２
0003174958.tif 000002
【実用新案登録請求の範囲】
【請求項１】
図２に示すように正面の中央で右と左側に通路を摺動する開閉自在の観音式扉，内部に上段・中段及び／又は下段に各々横わたしの仕切り板，および図１，２，３および４に示すとおり底面に４個のストッパー付きキャスター取り付けた構造からなる観音開きの扉を有する貯蔵庫
【請求項２】
独居老人又は生活用品，それらの補充，救援を要するとき，不審者に対する警戒を要するとき，協定により予め取決めた各連携施設，病院，警察又は消防署に通報するためにブザーを取付けたことを特徴とする観音開き扉を有する貯蔵庫
【考案の詳細な説明】
【考案の詳細な説明】
【０００１】  この考案は、小型の観音開き扉を有する宅配用貯蔵庫に関するものである。
【０００２】  このため本考案では飲食用宅配貯蔵庫にブザーを取り付けてなる宅配貯蔵庫を提供するものである。
【背景技術】
【０００３】  従来、住宅、介護施設、病院のような施設には大小様々な型や型式の異なる冷蔵庫が利用されているが、必要なときに食糧品を取り出して使用しているのみで要介護又は障害のある人、足腰が弱く歩行困難な人には定置形の冷蔵庫は不便であった。そのほか、従来の冷蔵庫は、簡単に移動させることができないような定置を占め、歩行困難な人には不便であった。
【考案が解決しようとする課題】
【０００４】  さらに述べれば、本願考案は、要介護高齢者はもとより、独居生活を余儀なくされ、何かと不自由若しくは介護を必要とする障害者が，できるだけ看護師や介護人の手を煩わさずに、飲用又は食品が必要なときに、又は不測の緊急時に備える対策・措置がないなどの課題があった。
【考案が解決するための手段】
【０００５】  そこで本考案は、従来の固定型冷蔵庫を宅配が容易なように縦，横，奥行の直方体の軽量構造となし、簡便に搬送もすることができ，さらに、設置する場所を固定することなく上述のように、好みによって都合のよい好適な場所へ要介護者，独居老人，高齢者又は障害者であっても移動できるようにすることが課題であった。
【０００６】  本考案は、課題を解決するために、貯蔵庫の構造を簡略に組立てられるように，上中下に仕切って棚を横にわたして設け，製品食用類など生活用品を置く次に好みの場所又は、都合のよい便利な場所へ貯蔵庫を移動できるように当該貯蔵庫の底面４ケ所にキャスターを取り付けることによって解決した。
【０００７】  上述の解決手段に加え、本考案では、独居高齢者，障害のある人，要介護者，等のように単独で衣食住において，身の回りの仕度ができない場合，不審者が現れたり，生活必需品が不足しその補充や追加のときなどさらに，緊急な場合に予め取決めた連携先，すなわち介護施設、病院，市町村の行政機関，消防署，警察等々へ通報できるようにブザーを貯蔵庫に取り付けることによって課題を解決した。
【考案を実施するための形態】
【０００８】  本考案の具体的な実施の形態を以下に述べる。
本考案は，図面の説明で、述べた第一から第四図のとおり、宅配に適した貯蔵庫で軽量かつ堅牢な材質の合成樹脂又は木材構成からなる構造になっているものである。具体的に例を挙げれば次のとおりである。
【０００９】  自宅で独居老人が本考案の貯蔵庫の宅配を要望し搬送され届いたら、都合の良い場所を定めて配置し、利用することができる。その利用している間に、場所を変えたいときには、自力でキャスターのストッパーを解除して好みの場所へ移動させることが容易である。
【００１０】  本考案の宅配ができるような小型の配置箱は、次のような構造から成っている。第一図は、本考案の全体図の正面図で、第二図は、観音式扉を開扉し内部を示す開放図で商品・食品（乾物）の陳列仕方を示す。また、第三図は、正面の扉の右側を開いたときの状態を示す。そして第四図は、内部に取り付ける横わたしの棚板を示す。
【００１１】  次に、宅配で搬送された配置箱には各種の飲食物又は食糧品が上中下に設けられた棚に配列されていることから扉を開けた時、整然と配列された希望した飲食品の陳列に息をついて満足するばかりでなく、小綺麗な小さな店の前に立っているような喜びを感じることができる。
さらに、箱（庫）の扉は観音開きになっているので、立ったまま右か左の扉を開けるだけで点灯するし内部を見透かすことができることから、必要なものを本願考案で利用できる食品には常温で保存できるように加工された乾物であればよい。
【００１２】  さらに貯蔵庫の中には、予め依頼した生活必需品や食用品（生鮮食料品を除く）が不足し補充を要するときには、貯蔵庫に取り付けられているブザーを押して供給先や関係者に連絡することができる。
【００１３】  本考案では、このブザーは、緊急時に備え予め連携している、消防署，警察，警備保障その他救済や救護を要する場合に，関係施設，関連する行政機関等に通報器として有効に機能するので極めて便利である。
【考案の効果】
【００１４】  本願考案は、請求項１ないし２に記載の構成になっていることから以下のような効果を発揮する。
【００１５】  請求項１のような宅配目的の構成になっていることから、運搬が容易であるばかりでなく、狭い範囲の好みの場所に設置することができる。
【００１６】さらに宅配貯蔵庫の底部には４ヶ所にストッパー付きのキャスターを取り付けて、定位置から動かないように抑止されているが、必要なときは、このストッパーの抑止を解除し好みの場所へ軽い力で簡単に当該貯蔵庫を移動させることができる。
【００１７】また、本考案の請求項１〜２のように貯蔵庫の外側面にブザーが取り付けらるので、在宅のまま緊急時には、対応する連携中の関連機関に救援又は要介護に関し通報することができる。
【００１８】さらにまた、本考案の貯蔵庫には、予め委託を受け用意され，貯蔵されている必需品を使用した後不足又は追加を要するとき，若しくは、新しく補充してほしいとき商品をブザーで依頼することができるなど，小綺麗な小売店・個人商店として機能することができる。
【００１９】  本考案の貯蔵庫には，ブザーが取付けられているので，看護師，看護人の労力を軽減させ，介護者に依頼することなく煩わしい思いをなくすこともできる。
【図面の簡単な説明】
【００２０】
【図１】貯蔵庫の立体図
【図２】左右の扉を取り付ける前の貯蔵庫の内部を示す正面図
【図２−１】底面一部破断図
【図２−２】平面一部破断図
【図３】アコーディオン式の扉を示す
【図３−１】アコーディオン扉の拡大
【図４】扉を閉めた貯蔵庫の側面図を示す
【図１】
0003174958.tif 000003
【図２】
0003174958.tif 000004
【図２−１】
0003174958.tif 000005
【図２−２】
0003174958.tif 000006
【図３】
0003174958.tif 000007
【図３−１】
0003174958.tif 000008
【図４】
0003174958.tif 000009
【図５】
0003174958.tif 000010
【図６】
0003174958.tif 000011
【手続補正書】
【提出日】平成24年1月8日(2012.1.8)
【手続補正１】
【補正対象書類名】実用新案登録請求の範囲
【補正対象項目名】全文
【補正方法】変更
【補正の内容】
【実用新案登録請求の範囲】
【請求項１】
内部の上段、中段及び又は下段に各々横わたしの棚（２）、底面の角４ヶ所にストッパー付キャスター（３）、正面中央で左右両側又は片側に自在に開閉する磁石（７）、を有する観音式扉（５）、及び外側面にブザー（８）を取付けたことを特徴とする常備の飲食糧品の消費後に補充するとき又は独居人、独居老人の救援又は救助，不審者に対する警戒を要するときに協定により予め取決めた各連携の施設、病院、警察署又は消防署に通報する形状の宅配型貯蔵庫
【手続補正２】
【補正対象書類名】明細書
【補正対象項目名】全文
【補正方法】変更
【補正の内容】
【考案の詳細な説明】
【０００１】  この考案は、小型の観音開き扉を有する宅配用貯蔵庫に関するものである。
【０００２】  このため本考案では飲食糧用貯蔵庫にブザーを取り付けてなる宅配貯蔵庫を提供するものである。
【背景技術】
【０００３】  従来、住宅、介護施設、病院のような施設には大小様々な型や型式の異なる冷蔵庫が利用されているが、必要なときに食糧品を取り出して使用しているのみで要介護又は障害のある人、足腰が弱く歩行困難な人には据え置き形の冷蔵庫は不便であった。そのほか、従来の冷蔵庫は、簡単に移動させることができないような定置に固定するため、歩行困難な人には不便であった。
【考案が解決しようとする課題】
【０００４】  さらに述べれば、本願考案は、要介護高齢者はもとより、独居生活を余儀なくされ、何かと不自由若しくは介護を必要とする障害者が、できるだけ看護師や介護人の手を煩わされずに、飲用又は食品が必要なときに、又は不測の緊急時に備える対策・措置がないなどの課題があった。
【考案が解決しようとする手段】
【０００５】  そこで本考案は、従来の据え置き型の冷蔵庫を宅配が容易なように縦，横，奥行の直方体の軽量構造となし、簡便に搬送もすることができ、さらに、設置する場所を固定することなく上述にように、好みによって都合のよい好適な場所へ要介護者，独居老人，高齢者又は障害者であっても移動できるようにすることが課題であった。
【０００６】  本考案は、課題を解決するために、貯蔵庫の構造を簡略に組立てられるように、上中下に仕切って棚を横にわたして設け，飲食料類などの生活用品を保管して置き次に好みの場所又は、都合のよい便利な場所へ貯蔵庫を移動できるように当該貯蔵庫の底面４ヶ所にキャスターを取り付けることによって解決した。
【０００７】  上述の解決手段に加え、本考案では、独居高齢者，障害のある人，要介護，等のように単独で衣食住において，身の回りの仕度ができない場合，不審者が現れたり，生活必需品が不足しその補充や追加のときなど，さらに，緊急な場合に予め取決めた連携先，すなわち介護施設、病院，市町村の行政機関，消防署，警察等々へ通報できるようにブザーを貯蔵庫に取り付けることによって課題を解決した。
【考案を実施するための形態】
【０００８】  本考案の具体的な実施の形態を以下に述べる。
本考案は，図面の説明で、述べたとおり、宅配に適した貯蔵庫で軽量かつ堅牢な材質の合成樹脂又は木材構成からなる構造になっているものである。具体的に例を挙げれば次のとおりである。
【０００９】  自宅で独居老人が本考案の貯蔵庫の宅配を要望し搬送され届いたら，都合の良い場所を定めて配置し、利用することができる。その利用している間に、場所を変えたいときには、自力でキャスター（３）のストッパー（４）を解除して好みの場所へ移動させることが容易である。
【００１０】  本考案の宅配ができるような小型の貯蔵庫は、次のような形状から成っている。
第一図は本考案の貯蔵庫の立体図で，第二図は貯蔵庫の扉を取りはずした内部正面図，図２−１は，貯蔵庫の底面図，図２―２は，貯蔵庫を上からみた平面図で，閉じている扉の形状と戸袋（６）とベアリング（４）の位置を示すための破断図，第３図は，磁石（７）を有するアコーディオン式扉（５）が，正面中央部密着し閉まっている貯蔵庫の前面図，図３―１は，貯蔵庫の側面図，図４と図５は，アコーディオン扉の半分及び全体の開いた拡大図，そして図６はベアリング（４）を有する扉の通路凵字型溝を各々示す図である。
【００１１】  次に、宅配で搬送された配置箱には各種の飲食物又は食糧品が上中下に設けられた棚に配列されていることから扉を開けた時、騒然と配列された希望した飲食品の陳列に息をついて満足するばかりでなく、小奇麗な小さな店の前に立っているような喜びを感じることができる。
さらに、箱（庫）の扉は観音開きになっているので、立ったまま右か左の扉を開けるだけで点灯し内部を見通すことができることから、必要なものを本願考案で利用できる飲糧食品としては常温で保存できるように加工された飲食品又は乾物であればよい。
【００１２】  さらに貯蔵庫の中には、予め依頼した生活必需品や食用品が不足又は消費し補充を要するときには、貯蔵庫に取り付けられているブザー（８）を押して供給先や関係者に連絡することができる。
【００１３】  本考案では、このブザー（８）は、緊急時に備え予め表示板（９）に連携している、消防署，警察，警備保障その他救済や救護を要する場合に，関係施設，関連する行政機関等に通報器として有効に機能するので極めて便利である。
【００１４】  本願考案は、請求項に記載の構成になっていることから以下のような効果を発揮する。
【００１５】  請求項のような宅配目的の構成になっていることから、運搬が容易であるばかりでなく、狭い範囲の好みの場所に貯蔵庫を設置することができる。
【００１６】  さらに宅配貯蔵庫の底部には４ヶ所にストッパー付きのキャスター（３）を取り付けて、据え付けたから動かないように抑止されているが、必要なときは、このストッパー（３）の抑止を解除し好みの場所へ軽い力で簡単に当該貯蔵庫を移動させることができる。
【００１７】  また、本考案の請求項のような貯蔵庫の外側面にブザー（８）が取り付けられるので、在宅のまま緊急時には、対応する連携中の関連機関に救援又は要介護に関し通報することができる。
【００１８】さらにまた、本考案の貯蔵庫には、予め委託を受け用意され，貯蔵されている飲食料その他の必需品を使用し消費した後不足分又は追加を要するとき，若しくは，新しく補充してほしいとき，商品の補充をブザーで依頼することができるなど，小奇麗な小売店・個人商店として機能することができる。
【００１９】  本考案の貯蔵庫には，ブザー（８）が取り付けられているので，看護師，看護人の労力を軽減させ，介護者に依頼することなく煩わしい思いをなくすこともできる。
【図面の簡単な説明】
【００２０】
【図１】貯蔵庫の立体図
【図２】左右の扉を取り付ける前の貯蔵庫の扉を取りはずした内部の正面図
【図２−１】底面  貯蔵庫の底面図
【図２−２】平面  上から見た平面図
【図３】貯蔵庫の前面図
【図３−１】貯蔵庫の側面図
【図４】アコーディオン式の拡大図
【図５】観音式扉の一部が開いた正面図
【図６】アコーディオン扉の上と下の枠体
【符号の説明】
【００２１】（１）・・・枠体
（２）・・・横わたしの棚
（３）・・・ストッパー付きキャスター
（４）・・・自在にＵ字溝を滑るペアリング
（５）・・・アコーディオン式扉
（６）・・・開けるとき扉が収納される戸袋
（７）・・・扉を正面で密着させる磁石
（８）・・・必要時に押すブザー
（９）・・・連携先を表示する表示板